(57)【要約】【課題】表示方向の如何にかかわらず表示輝度が適切な表示部を備える電子機器。【解決手段】電子機器であって、本体ユニットと、本体ユニットに対して変位する表示ユニットと、表示ユニットに設けられた表示部と、表示ユニットに設けられた、周囲の明るさを検出する照度検出部と、照度検出部の出力に基づいて表示部の輝度を調整する表示輝度調整部とを備える。上記電子機器において、照度検出部は、表示部と、表示ユニットを変位させる変位機構の間に設けられてもよい。【選択図】図３
2012053401.tif 000002
【特許請求の範囲】
【請求項１】
本体ユニットと、
前記本体ユニットに対して変位する表示ユニットと、
前記表示ユニットに設けられた表示部と、
前記表示ユニットに設けられた、周囲の明るさを検出する照度検出部と、
前記照度検出部の出力に基づいて前記表示部の輝度を調整する表示輝度調整部と
を備える電子機器。
【請求項２】
前記照度検出部は、前記表示部と、前記表示ユニットを変位させる変位機構の間に設けられる請求項１に記載の電子機器。
【請求項３】
本体ユニットと、
前記本体ユニットに対して変位する表示ユニットと、
前記表示ユニットに設けられた表示部と、
周囲の明るさを検出する照度検出部と、
前記表示ユニットの変位状態を検出する変位検出部と、
前記照度検出部の出力および前記変位検出部の出力に基づいて前記表示部の輝度を調整する表示輝度調整部と
を備える電子機器。
【請求項４】
前記本体ユニットの姿勢を検出する姿勢検出部を備え、
前記表示輝度調整部は、前記姿勢検出部の出力を加味して前記表示部の輝度を調整する請求項３に記載の電子機器。
【請求項５】
請求項１から４のいずれか１項に記載の電子機器は撮像装置であって、
被写体を測光する測光部を備え、
前記表示輝度調整部は、前記測光部の出力を加味して前記表示部の輝度を調整する撮像装置。
【請求項６】
被写体距離に関する情報を取得する距離取得部を備え、
前記表示輝度調整部は、前記距離取得部の出力を加味して前記表示部の輝度を調整する請求項５に記載の撮像装置。
【請求項７】
本体ユニットと、
前記本体ユニットに対して変位する表示ユニットと、
前記表示ユニットに設けられた表示部と、
前記表示ユニットに設けられた、周囲の明るさを検出する照度検出部と
を備えた電子機器において、前記表示部の輝度を調整する輝度調整プログラムであって、
前記電子機器のコンピュータに、前記照度検出部の出力に基づいて前記表示部の輝度を調整させる手順を実行させる輝度調整プログラム。
【請求項８】
本体ユニットと、
前記本体ユニットに対して変位する表示ユニットと、
前記表示ユニットに設けられた表示部と、
周囲の明るさを検出する照度検出部と、
前記表示ユニットの変位状態を検出する変位検出部と
を備えた電子機器において、前記表示部の輝度を調整する輝度調整プログラムであって、
前記電子機器のコンピュータに、前記照度検出部の出力および前記変位検出部の出力に基づいて前記表示部の輝度を調整させる手順を実行させる輝度調整プログラム。
【発明の詳細な説明】
【技術分野】
【０００１】
本発明は電子機器および撮像装置に関する。
【背景技術】
【０００２】
表示装置と、当該表示装置の表示内容に関連した対象物の照度または輝度を測定する測定装置とを備え、測定装置の測定結果に応じて表示装置の表示輝度を調整する電子機器がある（特許文献１参照）。
［先行技術文献］
［特許文献］
［特許文献１］特開２００２−１９９２５６号公報
【発明の概要】
【発明が解決しようとする課題】
【０００３】
しかしながら、表示装置の表示方向を本体に対して変更できる電子機器では、調整された表示装置の表示が常に見易くなるとは限らなかった。
【課題を解決するための手段】
【０００４】
そこで、上記課題を解決すべく、本発明の第一態様として、本体ユニットと、本体ユニットに対して変位する表示ユニットと、表示ユニットに設けられた表示部と、表示ユニットに設けられた、周囲の明るさを検出する照度検出部と、照度検出部の出力に基づいて表示部の輝度を調整する表示輝度調整部とを備える電子機器が提供される。
【０００５】
また、本発明の第二態様として、本体ユニットと、本体ユニットに対して変位する表示ユニットと、表示ユニットに設けられた表示部と、周囲の明るさを検出する照度検出部と、表示ユニットの変位状態を検出する変位検出部と、照度検出部の出力および変位検出部の出力に基づいて表示部の輝度を調整する表示輝度調整部とを備える電子機器が提供される。
【０００６】
更に、本発明の第三態様として、上記電子機器のいずれかである撮像装置であって、被写体を測光する測光部を備え、表示輝度調整部は、測光部の出力を加味して表示部の輝度を調整する撮像装置が提供される。
【０００７】
また更に、本発明の第四態様として、本体ユニットと、本体ユニットに対して変位する表示ユニットと、表示ユニットに設けられた表示部と、表示ユニットに設けられた、周囲の明るさを検出する照度検出部とを備えた電子機器において、表示部の輝度を調整する輝度調整プログラムであって、電子機器のコンピュータに、照度検出部の出力に基づいて表示部の輝度を調整させる手順を実行させる輝度調整プログラムが提供される。
【０００８】
また更に、本発明の第五態様として、本体ユニットと、本体ユニットに対して変位する表示ユニットと、表示ユニットに設けられた表示部と、周囲の明るさを検出する照度検出部と、表示ユニットの変位状態を検出する変位検出部とを備えた電子機器において、表示部の輝度を調整する輝度調整プログラムであって、電子機器のコンピュータに、照度検出部の出力および変位検出部の出力に基づいて表示部の輝度を調整させる手順を実行させる輝度調整プログラムが提供される。
【０００９】
上記の発明の概要は、本発明の必要な特徴の全てを列挙したものではない。これら特徴群のサブコンビネーションもまた発明となり得る。
【図面の簡単な説明】
【００１０】
【図１】デジタルカメラ１００の斜視図である。
【図２】内部回路２００を模式的に示すブロック図である。
【図３】表示輝度調整部２１２の制御手順を示す流れ図である。
【図４】デジタルカメラ１００の斜視図である。
【図５】デジタルカメラ１００の位置関係を示す模式図である。
【図６】デジタルカメラ１００の斜視図である。
【図７】デジタルカメラ１００の位置関係を示す模式図である。
【図８】デジタルカメラ１００の斜視図である。
【図９】デジタルカメラ１００の位置関係を示す模式図である。
【図１０】デジタルカメラ１０１の斜視図である。
【図１１】デジタルカメラ１０１と光源の位置関係を示す模式図である。
【図１２】デジタルカメラ１０２の斜視図である。
【図１３】内部回路２０２を模式的に示すブロック図である。
【図１４】表示輝度調整部２１６の制御手順を示す流れ図である。
【発明を実施するための形態】
【００１１】
以下、発明の実施の形態を通じて本発明を説明するが、以下の実施形態は特許請求の範囲に係る発明を限定するものではない。また、実施形態の中で説明されている特徴の組み合わせの全てが発明の解決手段に必須であるとは限らない。
【００１２】
図１は、デジタルカメラ１００を斜め後方から見下ろした様子を示す斜視図である。デジタルカメラ１００は、ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の光電変換素子と電子回路とを備え、被写体像を画像データとして記録する撮像装置である。
【００１３】
デジタルカメラ１００は、カメラ本体１１０と、カメラ本体１１０に対して着脱できる交換レンズ１２０とを含む。カメラ本体１１０は、ユーザがデジタルカメラ１００を操作する場合に操作する操作部と、ユーザに対して情報を表示する表示ユニット１４０とを有する。
【００１４】
操作部は、カメラ本体１１０の表面に配されたレリーズボタン１３２、ダイヤル１３４、十字キー１３６、押しボタン１３８等を含む。表示ユニット１４０は、カメラ本体１１０に対して、二軸ヒンジ１５０を介して結合される。
【００１５】
即ち、二軸ヒンジ１５０は、図中に一点鎖線Ｘ、Ｙにより示す水平なＸ軸および垂直なＹ軸の２軸について表示ユニット１４０を軸支して変位機構を形成する。これにより、表示ユニット１４０は、カメラ本体１１０に対して２軸で回動して任意の向きに変位できる。
【００１６】
表示ユニット１４０は、表示パネル１４２および照度検出部１４４を有する。表示パネル１４２は、例えば、液晶表示パネルを用いて形成でき、表示ユニット１４０の大部分の面積を締める。
【００１７】
図示の状態では、表示パネル１４２は、カメラ本体１１０の背面に現れている。しかしながら、二軸ヒンジ１５０において表示パネル１４２を反転させることにより、表示パネル１４２をカメラ本体１１０の背面と対向させて、表面から隠すこともできる。このような状態では、表示パネル１４２の表面が保護される。
【００１８】
照度検出部１４４は、フォトレジスタ、フォトトランジスタ、フォトダイオード等により形成でき、入射光の照度を検出する。なお、照度検出部１４４は、外部から受光できる位置であれば他の位置にも配置できる。しかしながら、表示パネル１４２と二軸ヒンジ１５０の間に配置することにより、表示ユニット１４０が変位した場合も、照度検出部１４４は表示パネル１４２の表示方向から受光した光の照度を検出できる。
【００１９】
図２は、デジタルカメラ１００の内部回路２００を模式的に示すブロック図である。内部回路２００は、ＣＰＵ２１０と、ＣＰＵ２１０に直接または間接に接続された要素により形成される。これにより、ＣＰＵ２１０は、ロードされたプログラムを実行してデジタルカメラ１００全体を包括的に制御する。
【００２０】
ＣＰＵ２１０には、プログラムメモリ２２０およびメインメモリ２３０が接続される。プログラムメモリ２２０は、不揮発性記録媒体および読出専用記録媒体の少なくとも一方を含み、ＣＰＵ２１０が実行するファームウエア等を、電力の供給なしに保持する。メインメモリ２３０はＲＡＭを含み、ＣＰＵ２１０の作業領域として使用される。
【００２１】
ＣＰＵ２１０には、撮像部２６０も接続される。撮像部２６０は、撮像素子駆動部２６２、撮像素子２６４、アナログデジタル変換器２６６および画像処理部２６８を含む。撮像素子２６４は、撮像素子駆動部２６２に特定のタイミングで駆動され、被写体像を光電変換して画像信号を出力する。
【００２２】
撮像素子２６４から出力された画像信号は、アナログデジタル変換器２６６により離散化され、画像処理部２６８において画像データに変換される。画像処理部２６８は、画像データを生成する過程で、画像のホワイトバランス、シャープネス、ガンマ、階調補正、圧縮等を調整する。
【００２３】
画像処理部２６８において生成された画像データは、二次記憶媒体２７０に格納して保存される。二次記憶媒体２７０としては、フラッシュメモリカード等の不揮発性記憶素子を備えた媒体が使用される。二次記憶媒体２７０の少なくとも一部は、カメラ本体１１０から着脱して交換できる。
【００２４】
更に、ＣＰＵ２１０には、入力部２８０および表示駆動部２９０が接続される。入力部２８０は、レリーズボタン１３２、ダイヤル１３４、十字キー１３６、押しボタン１３８等の操作部１３０からの入力を受け付け、入力された指示、設定値等を保持する。ＣＰＵ２１０は、入力部２８０を参照して動作条件を決定する。
【００２５】
表示駆動部２９０は、表示ユニット１４０の表示パネル１４２に表示する画像を生成する。また、表示駆動部２９０は、表示パネル１４２の表示輝度、コントラスト、彩度等を変化させる。なお、表示輝度は、表示パネル１４２に画像、文字等が表示されている状態における表示パネル１４２の輝度を意味する。
【００２６】
また更に、ＣＰＵ２１０には、合焦センサ２４０、測光センサ２５０および照度検出部１４４が接続される。合焦センサ２４０は、交換レンズ１２０が形成した被写体像から合焦位置を検出し、撮像素子２６４上に被写体光束が結像するように、交換レンズ１２０を合焦させる。
【００２７】
測光センサ２５０は、カメラ本体１１０に内蔵され、交換レンズ１２０を通じてカメラ本体１１０に入射した被写体光束の一部を受光して被写体輝度を検出する。照度検出部１４４は、検出した照度に応じた信号を出力する。ＣＰＵ２１０は、表示パネル１４２の周囲の明るさを示す信号として、照度検出部１４４の出力を参照する。
【００２８】
上記のような内部回路２００を有するデジタルカメラ１００において、ＣＰＵ２１０は、入力部２８０に保持された設定と、測光センサ２５０の検出結果とを参照して、撮像素子２６４の感度、シャッタ速度、絞り開度、補助照明の有無等の撮影条件を決定する。また、ＣＰＵ２１０は、決定した撮影条件に基づいた指示を、撮像に先立ってデジタルカメラ１００の各部に発信する。
【００２９】
更に、ＣＰＵ２１０は表示輝度調整部２１２を含む。表示輝度調整部２１２は、照度検出部１４４の出力を参照しつつ表示駆動部２９０に指示を発信することにより、表示パネル１４２における表示輝度を調整する。
【００３０】
即ち、ユーザから見て表示パネル１４２の周囲が明るい場合は、表示パネル１４２の表示輝度を高くしないと、表示パネル１４２の表示内容が観察し難い。一方、ユーザから見て表示パネル１４２の周囲が暗い場合は、表示パネル１４２の表示輝度が高すぎると、表示パネル１４２自体が眩しくて、表示パネル１４２の表示内容を観察し難い。そこで、表示輝度調整部２１２は、照度検出部１４４の出力を参照して表示パネル１４２の表示輝度を調整することにより、表示パネル１４２を観察し易い状態に保つ。
【００３１】
図３は、表示輝度調整部２１２における制御手順を示す流れ図である。表示輝度調整部２１２は、表示パネル１４２が点灯されるまで待機し（ステップＳ１０１：ＮＯ）、表示パネル１４２が点灯されると（ステップＳ１０１：ＹＥＳ）、照度検出部１４４の出力を参照する（ステップＳ１０２）。
【００３２】
ここで、表示輝度調整部２１２は、測光センサ２５０の出力を参照して、表示パネル１４２の表示輝度に反映させてもよい（ステップＳ１０３）。測光センサ２５０の出力結果を輝度調整にどのように反映させるかについては後述する。
【００３３】
こうして、照度検出部１４４および測光センサ２５０の出力を参照した表示輝度調整部２１２は、周囲の明るさに応じた、表示パネル１４２の見易い表示輝度を決定して、そのような表示輝度で表示されるように、表示駆動部２９０に指示を発信する（ステップＳ１０４）。次に、表示輝度調整部２１２は、表示パネル１４２が消灯されたか否かを調べる（ステップＳ１０５）。
【００３４】
表示パネル１４２による表示が継続している間（ステップＳ１０５：ＮＯ）、表示輝度調整部２１２は、上記のステップＳ１０２〜ステップＳ１０４による表示パネル１４２の表示輝度調整を継続する（ステップＳ１０５：ＮＯ）。また、ステップＳ１０５において、表示パネル１４２が消灯されたことが判った場合（ステップＳ１０５：ＹＥＳ）、表示輝度調整部２１２は制御を終了する。このような一連の手順を実行するプログラムは、デジタルカメラ１００に当初より実装してもよいし、二次記録媒体または通信回線を通じてインストールしてもよい。
【００３５】
図４は、デジタルカメラ１００を斜め後方から見上げた様子を示す斜視図である。同図は、デジタルカメラ１００において表示ユニット１４０を変位させた状態を示す。図１と共通の要素には同じ参照番号を付して重複する説明を省く。
【００３６】
表示ユニット１４０は、二軸ヒンジ１５０のＸ軸の回りに僅かに回動している。これにより、表示パネル１４２は、カメラ本体１１０に対して、やや下方を向いている。表示ユニット１４０に設けられた照度検出部１４４も、表示パネル１４２と同じ方向を向いている。
【００３７】
図５は、図４に示した状態で使用されるデジタルカメラ１００と光源３３０との位置関係を示す模式図である。図示のように、ユーザ３１０の目の高さに対して、被写体３２０はやや下方に位置している。しかしながら、図４に示したように、表示ユニット１４０の上側を開いて表示パネル１４２をやや下方に向けているので、ユーザ３１０は、デジタルカメラ１００を下方に向けつつも、かがむことなく表示パネル１４２を見ることができる。
【００３８】
このとき、被写体３２０を照明する光源３３０は、ユーザ３１０および被写体３２０の双方にとって上方にある。また、被写体３２０を撮影するデジタルカメラ１００から見て順光になるように、光源３３０はユーザ３１０およびデジタルカメラ１００寄りの位置にある。
【００３９】
このため、被写体３２０は、光源３３０に十分に照明され、高い被写体輝度を生じている。よって、カメラ本体の測光センサ２５０は、高い被写体輝度を検出している。一方、表示ユニット１４０は、光源３３０を背にしており、表示パネル１４２に光源３３０の光は当たっていない。よって、表示パネル１４２の表面は影になっている。
【００４０】
このような場合、被写体３２０を測光する測光センサ２５０は高い被写体輝度を検出しているが、表示パネル１４２の周囲は明るくない。よって、表示輝度調整部２１２は、表示パネル１４２の表示輝度を低くする。これにより、ユーザ３１０は、表示パネル１４２において適度な明るさの画像を観察できる。このように、表示輝度調整部２１２は、表示パネル１４２と同じ面に配された照度検出部１４４により検出した照度に応じて表示パネル１４２の表示輝度を算出できる。
【００４１】
図６は、デジタルカメラ１００を斜め後方から見下ろした様子を示す斜視図である。図１と共通の要素には同じ参照番号を付して重複する説明を省く。
【００４２】
表示ユニット１４０は、二軸ヒンジ１５０のＸ軸の回りに９０°以上回動している。また、Ｙ軸の回りに１８０°反転している。これにより、表示パネル１４２は、カメラ本体１１０に対して、上方を向いている。表示ユニット１４０に設けられた照度検出部１４４も、表示パネル１４２と同じ方向を向く。
【００４３】
図７は、図６に示した状態で使用されるデジタルカメラ１００と光源３３０の位置関係を示す模式図である。図示のように、ユーザ３１０の目の高さに対して、デジタルカメラ１００の位置はやや下方にある。表示パネル１４２は、上方を向いているので、ユーザ３１０は、表示パネル１４２を上方から覗き込む。
【００４４】
光源３３０は、被写体３２０に対しても、表示パネル１４２に対しても、上方から照明光を照射する。このため、被写体３２０および表示パネル１４２は、いずれも明るく照明される。よって、照度検出部１４４と測光センサ２５０の検出結果が一致する。
【００４５】
表示輝度調整部２１２は、照度検出部１４４の検出結果を参照して、表示パネル１４２の表示輝度を高く決定する。これにより、ユーザ３１０は、明るい表示パネル１４２において見易い画像を観察できる。
【００４６】
図８は、デジタルカメラ１００を斜め前方からやや見下ろした様子を示す斜視図である。図１と共通の要素には同じ参照番号を付して重複する説明を省く。
【００４７】
図示の状態において、表示ユニット１４０は、二軸ヒンジ１５０のＸ軸の回りに略１８０°回動して、カメラ本体１１０の直下に位置している。このため、表示パネル１４２および照度検出部１４４は、カメラ本体１１０に対して、交換レンズ１２０と同じ側を向いている。換言すれば、測光センサ２５０と、照度検出部１４４は、略同じ方向に入射する光を検出する。
【００４８】
図９は、図８に示した状態で使用されるデジタルカメラ１００と光源の位置関係を示す模式図である。図示のように、交換レンズ１２０および表示パネル１４２は、いずれもユーザ３１０の方を向いている。
【００４９】
この状態でレリーズボタン１３２を押した場合、デジタルカメラ１００は、ユーザ３１０自身を撮影する。即ち、この状態では、ユーザ３１０が被写体３２０でもある。また、図示の状態では、表示パネル１４２は、カメラ本体１１０の下側に位置するので、光源３３０から照射された光は、カメラ本体１１０に遮られる。よって、表示パネル１４２は、カメラ本体１１０の影の中に位置する。このため、交換レンズ１２０および照度検出部１４４が同じ方向を向いているにもかかわらず、両者の検出結果は大きく相違する。
【００５０】
しかしながら、表示輝度調整部２１２は、照度検出部１４４の出力に応じて表示パネル１４２の表示輝度を決定するので、表示パネル１４２は、カメラ本体１１０の影の暗い環境に適した、ユーザ３１０にとって見易い表示輝度で画像を表示する。
【００５１】
ところで、図８および図９に類似した状況として、表示ユニット１４０が自分撮りの位置にある場合であっても、デジタルカメラ１００が縦位置撮影状態になっている場合がある。このような場合、表示パネル１４２は、カメラ本体１１０の側方に並ぶので、表示パネル１４２にカメラ本体１１０の影が落ちることはない。よって、照度検出部１４４は高い照度を検出するので、表示輝度調整部２１２はそれに応じた表示輝度を決定する。
【００５２】
図１０は、図９までに示したデジタルカメラ１００の変形例であるデジタルカメラ１０１を斜め前から見下ろした様子を示す斜視図である。以下に説明する部分を除くと、デジタルカメラ１０１は、デジタルカメラ１００と同じ構造を有する。よって、共通の要素には同じ参照番号を付して重複する説明を省く。
【００５３】
デジタルカメラ１０１は、表示パネル１４２と二軸ヒンジ１５０の間に配されている照度検出部１４４に加えて、もうひとつの照度検出部１４６を備える。追加された照度検出部１４６は、表示ユニット１４０において二軸ヒンジ１５０から遠い側の端部近傍に配される。照度検出部１４６自体は、既存の照度検出部１４４と同様に、フォトレジスタ、フォトトランジスタ、フォトダイオード等を用いて形成される。
【００５４】
図１１は、図１０に示したデジタルカメラ１０１と光源の位置関係を示す模式図である。図示の状態は、図９に示した状態と同様に、交換レンズ１２０および表示パネル１４２がいずれもユーザ３１０の方を向いている。ただし、カメラ本体１１０および表示ユニット１４０は全体に後傾して、表示パネル１４２の下端近傍に光源３３０の光が直接に当たっている。
【００５５】
このため、二軸ヒンジ１５０近傍の照度検出部１４４は低い照度を検出し、追加された照度検出部１４６は高い照度を検出する。よって、表示輝度調整部２１２は、表示パネル１４２の図中上端付近を低い表示輝度で、図中下端付近を高い表示輝度で表示するように、表示パネル内に表示輝度の分布が形成されるように調整してもよい。これにより、照度分布のある環境でも、表示パネル１４２全体を見やすくすることができる。
【００５６】
このように、複数の照度検出部１４４、１４６を設けることにより、表示パネル１４２の表示輝度をより細かく調整できる。複数の照度検出部１４４、１４６の一部は、デジタルカメラ１００のカメラ本体１１０に設けてもよい。更に、デジタルカメラ１００の測光センサ２５０を、複数の照度検出部１４４、１４６の一部として使用してもよい。
【００５７】
図１２は、他のデジタルカメラ１０２を斜め後方から見下ろした様子を示す斜視図である。デジタルカメラ１０２は、以下に説明する部分を除くと、図９までに示したデジタルカメラ１００と同じ構造を有する。よって、共通の要素には、同じ参照番号を付して重複する説明を省く。
【００５８】
デジタルカメラ１０２は、照度検出部１４８が、表示ユニット１４０ではなく、カメラ本体１１０の背面上部に配されている点で、デジタルカメラ１００と異なっている。照度検出部１４８自体は、デジタルカメラ１００の照度検出部１４４と同様に、フォトレジスタ、フォトトランジスタ、フォトダイオード等を用いて形成される。
【００５９】
図１３は、デジタルカメラ１０２の他の内部回路２０２を模式的に示すブロック図である。内部回路２０２も、以下に説明する部分を除くと、図２に示した内部回路２００と同じ構造を有する。よって、共通の要素には、同じ参照番号を付して重複する説明を省く。
【００６０】
デジタルカメラ１０２の内部回路２０２において、ＣＰＵ２１０は表示輝度調整部２１６および距離取得部２１４を含む。また、ＣＰＵ２１０は、姿勢検出部１１２および変位検出部１５２に接続される。
【００６１】
姿勢検出部１１２は、カメラ本体１１０に対して固定された加速センサ、ジャイロセンサ等により形成され、カメラ本体１１０が、重力方向に対してどのように傾斜しているかを検出する。変位検出部１５２は、二軸ヒンジ１５０のＸ軸およびＹ軸の回動量を検出する。これにより、変位検出部１５２は、表示ユニット１４０が、カメラ本体１１０に対してどのような位置に変位したかを検知する。
【００６２】
よって、表示輝度調整部２１６は、姿勢検出部１１２の出力および変位検出部１５２の出力を併せて参照することにより、表示パネル１４２が重力方向に対してどのような方向を向いているかを検知する。また、表示輝度調整部２１６は、表示パネル１４２に対してカメラ本体１１０がどの位置にあるかを検知する。
【００６３】
更に、表示輝度調整部２１６は、測光センサ２５０により検出された被写界照度を参照する。これにより、ＣＰＵ２１０は、測光センサ２５０からカメラ本体１１０の前側の照度を、照度検出部１４８からカメラ本体１１０の後側の照度を獲得できる。
【００６４】
距離取得部２１４は、合焦センサ２４０の検出結果と、交換レンズ１２０との通信結果から、被写体３２０とデジタルカメラ１０２との距離を算出する。算出された距離は、表示輝度調整部２１６に参照される。
【００６５】
図１４は、表示輝度調整部２１６の制御手順を示す流れ図である。表示輝度調整部２１６は、表示パネル１４２が表示されるまで待機し（ステップＳ２０１：ＮＯ）する。
【００６６】
表示パネル１４２が点灯されると（ステップＳ２０１：ＹＥＳ）、表示輝度調整部２１６は、まず、照度検出部１４４の出力を参照し（ステップＳ２０２）、次いで、測光センサ２５０の出力を参照する（ステップＳ２０３）。これにより、表示輝度調整部２１６は、カメラ本体１１０の前側および後側の照度を検知する。
【００６７】
次に、表示輝度調整部２１６は、姿勢検出部１１２の出力を参照し（ステップＳ２０４）、次いで、変位検出部１５２の出力を参照する（ステップＳ２０５）。これにより、表示輝度調整部２１６は、表示パネル１４２の向きを検知すると共に、表示パネル１４２に対してカメラ本体１１０がどのような位置関係にあるかを検知する。
【００６８】
よって、表示輝度調整部２１６は、ステップＳ２０２およびステップＳ２０３で検出された照度が、表示パネル１４２に対してどのように影響するかを検知できる。また、表示パネル１４２における照度に対して、カメラ本体１１０がどのように影響を与えるかを検知できる。こうして、表示輝度調整部２１６は、表示パネル１４２の状態に適した表示輝度を算出する（ステップＳ２０６）。
【００６９】
ここで、表示輝度調整部２１６は、変位検出部１５２の出力に基づいて、表示ユニット１４０の向きが、図９または図１０に示すように、交換レンズ１２０の向きと同じであるか否かを調べる（ステップＳ２０７）。表示ユニット１４０の向きと交換レンズ１２０の向きが異なる場合（ステップＳ２０７：ＮＯ）、表示輝度調整部２１６は、検出照度に基づいて算出された表示輝度を、表示パネル１４２に設定する表示輝度として決定する（ステップＳ２０９）。
【００７０】
表示ユニット１４０の向きと交換レンズ１２０の向きが同じ場合（ステップＳ２０７：ＹＥＳ）、表示輝度調整部２１６は、被写体３２０との距離を距離取得部２１４から参照する（ステップＳ２０８）。被写体３２０でもあるユーザ３１０がデジタルカメラ１０２から離れている場合、表示輝度調整部２１６は、表示パネル１４２に設定すべく検出照度に基づいて算出された表示輝度よりも高い表示輝度を決定する（ステップＳ２０９）。また、ユーザ３１０がデジタルカメラ１０２の近くにいる場合、表示輝度調整部２１６は、検出照度に基づいて算出された表示輝度と同じか、より低い表示輝度を決定する（ステップＳ２０９）。
【００７１】
表示輝度調整部２１６は、こうして決定した表示輝度を表示駆動部２９０に取得させて、表示パネルの表示輝度を調整し（ステップＳ２１０）、表示パネル１４２は当該表示輝度により画像を表示する。更に、表示輝度調整部２１６は、表示パネル１４２が消灯したかどうかを調べ（ステップＳ２１１）、表示パネル１４２による表示が継続している間（ステップＳ２１１：ＮＯ）は、上記のステップＳ２０２〜ステップＳ２１０による表示パネル１４２の輝度調整を継続する。
【００７２】
表示パネル１４２が消灯されたことが判った場合（ステップＳ２１１：ＹＥＳ）、表示輝度調整部２１６は調整を終了する。このような一連の手順は、デジタルカメラ１００に当初より実装してもよいし、磁気媒体、光磁気媒体または通信回線を通じてインストールしてもよい。
【００７３】
なお、表示輝度調整部２１６は、デジタルカメラ１０２が同じ場所にある期間内にステップＳ２０２からステップＳ２０５までの手順を繰り返することにより、デジタルカメラ１０２の周囲の照度分布を検出してもよい。これにより、表示輝度調整部２１６は、表示パネル１４２における照度分布を詳細に把握して、ステップＳ２０６において適切な表示輝度を算出できる。
【００７４】
以上説明したように、表示輝度調整部２１６は、合焦センサ２４０、測光センサ２５０、姿勢検出部１１２、照度検出部１４４および変位検出部１５２の出力を参照して、表示パネル１４２の表示輝度を制御してもよい。これにより、ユーザ３１０は、適切な輝度に調整された表示パネル１４２を見ながらデジタルカメラ１００、１０１、１０２で撮影することができる。
【００７５】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【符号の説明】
【００７６】
１００、１０１、１０２  デジタルカメラ、１１０  カメラ本体、１１２  姿勢検出部、１２０  交換レンズ、１３０  操作部、１３２  レリーズボタン、１３４  ダイヤル、１３６  十字キー、１３８  押しボタン、１４０  表示ユニット、１４２  表示パネル、１４４、１４６、１４８  照度検出部、１５０  二軸ヒンジ、１５２  変位検出部、２００、２０２  内部回路、２１０  ＣＰＵ、２１２、２１６  表示輝度調整部、２１４  距離取得部、２２０  プログラムメモリ、２３０  メインメモリ、２４０  合焦センサ、２５０  測光センサ、２６０  撮像部、２６２  撮像素子駆動部、２６４  撮像素子、２６６  アナログデジタル変換器、２６８  画像処理部、２７０  二次記憶媒体、２８０  入力部、２９０  表示駆動部、３１０  ユーザ、３２０  被写体、３３０  光源
【図１】
2012053401.tif 000003
【図２】
2012053401.tif 000004
【図３】
2012053401.tif 000005
【図４】
2012053401.tif 000006
【図５】
2012053401.tif 000007
【図６】
2012053401.tif 000008
【図７】
2012053401.tif 000009
【図８】
2012053401.tif 000010
【図９】
2012053401.tif 000011
【図１０】
2012053401.tif 000012
【図１１】
2012053401.tif 000013
【図１２】
2012053401.tif 000014
【図１３】
2012053401.tif 000015
【図１４】
2012053401.tif 000016